(57)【要約】【課題】短時間で効率良く傘に付いた水滴を除去できる傘の水切り装置を提供すること。【解決手段】傘を挿入する水切り室と、前記水切り室の底部に設けられた吸引チューブ、前記吸引チューブに連結するケーシングタンク、前記ケーシングタンクの底部に配設された排水機構、前記ケーシングタンクの上部に接続された排気機構、前記排気機構に接続された排気チャンバー、前記排気チャンバーと前記水切り室の側面とを連結する連結チューブ、前記水切り室の底部に設けられた振動機、および前記振動機に振動を与えるためのモーターからなることを特徴とする傘の水切り装置とした。【選択図】  図１
2006337008.tif 000002
【特許請求の範囲】
【請求項１】
傘を挿入する水切り室と、
前記水切り室の底部に設けられた吸引チューブ、
前記吸引チューブに連結するケーシングタンク、
前記ケーシングタンクの底部に配設された排水機構、
前記ケーシングタンクの上部に接続された排気機構、
前記排気機構に接続された排気チャンバー、
前記排気チャンバーと前記水切り室の側面とを連結する連結チューブ、
前記水切り室の底部に設けられた振動機、
および前記振動機に振動を与えるためのモーターからなることを特徴とする傘の水切り装置。
【請求項２】
前記水切り室の側面に感知部を設けたことを特徴とする請求項１記載の傘の水切り装置。
【請求項３】
前記感知部を近接スイッチとしたことを特徴とする請求項２記載の傘の水切り装置。
【請求項４】
前記感知部を光スイッチとしたことを特徴とする請求項３記載の傘の水切り装置。
【請求項５】
前記水切り室の底部を弾性部材により構成したことを特徴とする請求項１乃至４記載の傘の水切り装置。
【請求項６】
前記排水機構が、排水ポンプ、排水チューブおよび前記排水チューブから連接する排水タンクからなることを特徴とする請求項１乃至５記載の傘の水切り装置。
【請求項７】
前記排気機構が、モーター、真空装置および排気チューブからなることを特徴とする請求項１乃至６記載の傘の水切り装置。
【請求項８】
前記連結チューブを複数設けたことを特徴とする請求項１乃至７記載の傘の水切り装置。
【請求項９】
前記ケーシングタンクと排気機構との間にフィルターを設けたことを特徴とする請求項１乃至８記載の傘の水切り装置。
【発明の詳細な説明】
【技術分野】
【０００１】    この発明は、傘の水切り装置に関するものであり、より詳しくは、駅やホテル、公共施設などの玄関や入り口に設置される傘の水切り装置であって、簡単な動作によって、効率良く水を切ることのできる装置に関するものである。
【背景技術】
【０００２】    従来、雨降りの日に電車（駅）やホテル、公共施設などを利用する際には、ただ傘をたたんで、それらの施設に入るので、傘に付いた水滴が傘をつたってしたたり落ちていた。その水滴によって、施設の中が汚れたり、あるいは、その傘を携行する水からの服が濡れたりしていた。【０００３】    このような不都合に対し、施設の玄関あるいは入り口には傘を一時的に収納するビニール袋などが設置されるようになった。しかしながら、当該ビニール袋は、たいていの場合使い捨てであって、資源の無駄遣いとなっていた。【０００３】    そこで、上記の問題を解決するため、施設の玄関あるいは入り口に傘の水切り装置が設置されるようになった。この傘の水切り装置には、傘を挿入する保持部と、傘の表面を払拭する払拭部および払拭部を駆動する駆動装置を備えたものがある。この装置は、傘を挿入すると駆動装置が動作し、払拭部や傘の表面を払拭して水を切るものである。
しかしながら、この装置によると、機械が大掛かりになるとともに、折りたたんだ状態で挿入され傘の布部が幾重にも重なった状態となるため、十分に水滴を払拭することが出来なかった。また、払拭部が傘の表面全体を動作する構成のため、水を切るのに時間を要し、多くの人が利用するには不適であった。【０００３】    また、傘を挿入する保持部と、水および空気を吸引する吸引装置を有するとともに、前記保持部に多数の吸水・吸気孔を設けて前記吸引装置へ接続したものがある。これによれば、傘を保持部に挿入すると、吸引装置が動作し、前記多数の吸水・吸気孔を通じて傘の表面に付いた水滴を吸引することができる。【０００４】    しかしながら、前記保持部に多数の吸水・吸気孔を設けても、短時間で十分に傘の表面に付いた水滴を吸引することは困難であった。
【特許文献１】特開平７−２７００６８
【特許文献２】特開平８−１１０１５８
【発明の開示】
【発明が解決しようとする課題】
【０００５】    本発明は、上記のような問題点を解決するものであり、短時間で効率良く傘に付いた水滴を除去できる傘の水切り装置を提供することを目的とする。
【課題を解決するための手段】
【０００６】    上記の課題を解決するため、請求項１に記載の本件発明は、傘を挿入する水切り室と、前記水切り室の底部に設けられた吸引チューブ、前記吸引チューブに連結するケーシングタンク、前記ケーシングタンクの底部に配設された排水機構、前記ケーシングタンクの上部に接続された排気機構、前記排気機構に接続された排気チャンバー、前記排気チャンバーと前記水切り室の側面とを連結する連結チューブ、前記水切り室の底部に設けられた振動機、および前記振動機に振動を与えるためのモーターからなることを特徴とする傘の水切り装置としている。【０００７】    請求項２記載の発明のように、前記水切り室の側面に感知部を設けたことを特徴とする請求項１記載の傘の水切り装置とすることもできる。【０００８】    請求項３記載の発明のように、前記感知部を近接スイッチとしたことを特徴とする請求項２記載の傘の水切り装置としてもよい。【０００９】    請求項４記載の発明のように、前記感知部を近接スイッチとしたことを特徴とする請求項３記載の傘の水切り装置としてもよい。【００１０】    請求項５記載の発明のように、前記水切り室の底部を弾性部材により構成したことを特徴とする請求項１乃至４記載の傘の水切り装置とすることもできる。【００１１】    請求項６記載の発明は、前記排水機構が、排水ポンプと排水チューブ、および前記排水チューブから連接する排水タンクからなることを特徴とする請求項１乃至５記載の傘の水切り装置である。【００１２】    請求項７記載の発明のように、前記排気機構が、モーター、真空装置および排気チューブからなることを特徴とする請求項１乃至６記載の傘の水切り装置としてもよい。【００１３】    請求項８記載の発明のように、前記連結チューブを複数設けたことを特徴とする請求項１乃至７記載の傘の水切り装置とすることもできる。【００１４】    請求項９記載の発明のように、前記ケーシングタンクと排気機構との間にフィルターを設けたことを特徴とする請求項１乃至８記載の傘の水切り装置とすることもできる。
【発明の効果】
【００１５】    本発明の傘の水切り装置によれば、利用者が傘を水切り装置に挿入すると、感知部が傘を感知し、排気機構のモーターおよび電動機が動作する。排気機構が動作することによって、水切り室内の空気および水を吸引する。そして、吸引された空気と水はそれぞれに分離され、水は排水機構を通じて排水されるとともに、空気は排気機構、排気チャンバーおよび連結チューブを通って水切り室へと循環される。また、電動機が動作することによって振動機が作動し、水きり室の壁面を通じて傘を振動させる。これにより傘の表面に付着した水滴が下方向へ流れ落ちやすくなる。【００１６】    このように、いったん水切り室から吸引された空気のみを、排気機構を通じて再度水切り室へ循環させることにより、対流が生じ、吸引による空気の流れがスムーズになる。また、上述のとおり、振動機によって傘に振動を与えることにより、傘の表面に付着した水滴が下へ落ちやすくなる。これにより、傘の水切りが、効率良く、短時間で出来るようになる。
【発明を実施するための最良の形態】
【００１７】    以下、添付の図面に基づき、本件発明を実施するための最良の形態について説明する。【００１８】    図１は、本発明の実施形態の一つであり、傘２を挿入する水切り室３と、前記水切り室の底部に設けられた吸引チューブ４、前記吸引チューブ４に連結するケーシングタンク５、前記ケーシングタンク５の底部に配設された排水機構６、前記ケーシングタンク５の上部に接続された排気機構７、前記排気機構に接続された排気チャンバー８、前記排気チャンバー８と前記水切り室３の側面とを連結する連結チューブ９、前記水切り室３の底部に設けられた振動機１０、および前記振動機１０に振動１１を与えるためのモーターにより構成されている。【００１９】    水切り室３内の側面には、感知部１２が設けられており、傘が挿入されると、それを感知する。この感知部は、近接スイッチ、あるいは光スイッチとしてもよいし、他の感知手段を用いることとしてもよい。【００２０】    図２のように傘２を水切り室３に挿入すると、感知部１２が、それを感知する。前記感知部１２が傘２の挿入を感知すると、排気機構７のモータ７１および真空装置７２が作動し、前記吸引チューブ４およびケーシングタンク５を通じて、傘に付着した水滴および水切り室内の空気を吸引する。【００２１】    吸引された水と空気は、水および空気が通過可能な消音壁１３を通ってケーシングタンク５に導入されるが、水は、消音壁１３を伝ってケーシングタンク５内の底部にたまる。一方、導入された空気は、排気機構７を通って排気チャンバーの方向へと送られる。尚、図１に示された実施形態においては、ケーシングタンク５排気機構７との間にフィルターを設け、空気中のごみや水滴などを分離し、空気のみを通すようになっている。【００２２】    ケーシングタンク５の底部にたまった水は、排水機構６を通じて排水される。すなわち、ケーシングタンク５の底部に設けられた排水ポンプ６１が水を排水チューブ６２へと送り出し、排水タンク６３へと流し込む。排水タンク６３には、排水口を設けて排水するか、あるいは水を蒸気化する装置を付加して、蒸気により排水タンク６３内の水を排出するようにしてもよい（図示せず）。【００２３】    一方、排気チャンバーへと導入された空気は、排気チャンバー５と排気機構７との間に設けられたフィルター１４を通り、排気機構７へと送出される。このとき、空気中のごみや水滴が除去され、空気のみが排気機構７へ送出されることとなる。排気機構７へと送られた空気は、連結チューブ９を通じて水きり室３へと戻される。これによって、装置内での空気の対流が起こり、吸引の効率が高まる。【００２４】    また、前記感知部１２が傘の挿入を感知すると、同時に振動機１０に設けた電動機１１が作動し、前記振動機１０が振動しする。これにより、水切り室３が振動して、挿入された傘２をも振動させる。この振動によって、傘２の表面に付着した水滴が下方向に落ちやすくなる。より水滴を落ちやすくするには、振動機１０の振動は横方向の振動の方が好ましいが、それに限定するものではない。【００２５】    上述の通り、吸引した空気を装置内で循環させることと、傘に振動を与えることとの相互作用により、傘に付着した水滴を非常に簡単な動作で、しかも効率良く短時間で除去することが可能となる。
【図面の簡単な説明】
【図１】  本発明の傘の水切り装置の側面断面図である。
【図２】  本体内に、傘を挿入した状態を示す説明図である。
【符号の説明】
１  本体
２  傘
３  水切り室
４  吸引チューブ
５  ケーシングタンク
６  排水機構
７  排気機構
８  排水チャンバー
９  連結チューブ
１０  振動機
１２  感知部
１４  フィルター
【図１】
2006337008.tif 000003
【図２】
2006337008.tif 000004